(57)【要約】【課題】二階建て状態で外壁の耐震性能を総合的に把握でき、反復動作に耐えられる耐久性を有し、構造の良さを容易に理解できる外壁パネルの耐震性能展示装置を提供する。【解決手段】フレーム２０に固定された下梁材２１に対して上梁材２３はモータ２６を介して水平に往復動し、中梁材２２は、連結柱２７を介して上梁材２３の往復動に同調する装置本体２ａと、鋼材３１を矩形状に枠組みした軸組３と、軸組３の鋼材３１に金具本体４０ａを固定した状態で、金具本体４０ａに回動可能に軸着された一対の係止爪４ａが、軸組３の片面側に位置する係止金具４ａと、周縁に設けられた断面コ字状のレール５１ａレール５１ａに係止金具４ａの係止爪４２ａが係止することによって、軸組３の片面に当接された状態で係止固定される外壁パネル５ａとを具備し、外壁パネル５ａは、下梁材２１と中梁材２２との間、および中梁材２２と上梁材２３との間の軸組３に設けられて二階層となされた耐震性能展示装置１ａである。【選択図】  図１
2008107630.tif 000002
【特許請求の範囲】
【請求項１】
下梁材と、この下梁材の上方に設けられた中梁材と、この中梁材の上方に設けられた上梁材とが、それぞれの一端側に設けられた連結柱に回動可能に連結され、下梁材はフレームに固定され、上梁材はフレームに設けられたモータを介して、フレームに対して水平に往復動するようになされ、中梁材は、連結柱を介してこの上梁材の往復動に同調するようになされた装置本体と、
下梁材と中梁材との間、中梁材と上梁材との間にそれぞれ設けられ、鋼材の端部に延設されたフランジ部同士をボルトナットで固定することによって変形可能なように矩形状に枠組みされるとともに、このボルトナットによって、下梁材、中梁材、上梁材からそれぞれ延設されたフランジとも連結されてなる軸組と、
軸組の鋼材に金具本体を固定した状態で、金具本体に回動可能に軸着されてなる一対の係止爪が、軸組の片面側に位置するようになされた係止金具と、
周縁に断面コ字状のレールが設けられ、このレールに係止金具の係止爪が係止することによって、軸組の片面に当接された状態で係止固定されるようになされた外壁パネルとを具備し、
外壁パネルは、下梁材と中梁材との間、および中梁材と上梁材との間の軸組に設けられて二階層となされるとともに、少なくとも一階層部分の外壁パネルは、係止金具の係止爪が係止固定された部分に切欠部が設けられて、この切欠部からレールを軸組に係止固定している状態を把握できるようになされ、
下梁材と中梁材と上梁材との変位によって変形する軸組に対して、回動する係止爪によって、二階層に設けた外壁パネルが破壊されずに追従して動くことを展示するようになされたことを特徴とする外壁パネルの耐震性能展示装置。
【請求項２】
フレームに固定された下梁材と、この下梁材の上方に設けられ、フレームに設けられたモータを介して、フレームに対して水平に往復動するようになされた上梁材とからなる装置本体と、
下梁材と上梁材との間にそれぞれ設けられ、鋼材の端部に延設されたフランジ部同士をボルトナットで固定することによって変形可能なように矩形状に枠組みされるとともに、このボルトナットによって、下梁材および上梁材からそれぞれ延設されたフランジとも連結されてなる軸組と、
裏面にボルトナットを固定するための断面コ字状のレールが設けられ、軸組の片面に当接固定するようになされた外壁パネルと、
外壁パネルのレールに固定したボルトナットを介して、軸組の鋼材に係止するようになされた係止金具とを具備し、
上梁材の変位によって変形する軸組に対して、係止金具が回動し外壁パネルが破壊されずに追従して動くことを展示するようになされた第二展示装置が、請求項１記載の展示装置と対向するように設けられ、双方の展示装置間には、それぞれの外壁パネルの動く様子を見学できるスペースが確保されるとともに、第二展示装置の背後には、上記展示装置の外壁パネルの動きを見ながら、第二展示装置の背面から外壁パネルの動きに対して、回動する係止金具の様子を見学できるスペースを確保して配置されてなることを特徴とする外壁パネルの耐震性能展示構造。
【発明の詳細な説明】
【技術分野】
【０００１】
本発明は、工業化住宅における外壁パネルの耐震性能を展示する装置に関するものである。
【背景技術】
【０００２】
工業化住宅において、躯体に外壁パネルを固定する場合、強固に固定してしまうと、震災時などの躯体の変位によって外壁パネルが破壊されてしまうこととなる。そこで、この躯体の変位に対して外壁パネルが追従して動くように工夫した外壁構造が提案されている。
【０００３】
従来より、この固定方法による優位性を住宅の購入予定者に知らせるものとして、外壁パネルの耐震性能展示装置が提案されている。
【０００４】
この耐震性能展示装置としては、下梁材と、この下梁材の上方に設けられた上梁材との少なくともいずれか一方の梁材が、長手方向に沿って往復動可能となされた装置本体と、この下梁材と上梁材とにそれぞれ固定される係止レールと、この係止レールに当接された状態で係止金具を介して固定されてなる複数枚の外壁パネルとを具備し、装置本体の下梁材と上梁材とを連続的に変位させ、この変形によって破壊されずに外壁パネルが追従して動くことを展示するようになされたカーテンウォール構造の外壁パネルの耐震性能展示装置が知られている（特許文献１）。
【０００５】
また、他の耐震性能展示装置としては、下梁材と、この下梁材の上方に設けられた上梁材との少なくともいずれか一方の梁材が、長手方向に沿って往復動可能となされた装置本体と、この下梁材と上梁材との間に固定され、変形可能なように矩形状に枠組みされた軸組と、軸組に固定される係止金具と、この係止金具の係止爪によって、軸組の片面に当接された状態で係止固定されてなる外壁パネルとを具備し、装置本体の下梁材と上梁材との変位によって軸組を変形させるとともに、この変形によって破壊されずに外壁パネルが追従して動くことを展示するようになされた軸組構造の外壁パネルの耐震性能展示装置が知られている（特許文献２）。
【特許文献１】特開２００１−１８３７０号公報
【特許文献２】特開平１１−２２４０５３号公報
【発明の開示】
【発明が解決しようとする課題】
【０００６】
しかし、上記従来の耐震性能展示装置は、いずれも外壁パネルを横並びに設けて動くようにしたものであって、住宅で言えば一階平屋建ての状態であるが、実際の住宅は、二階建て以上であることが大半なので、実際の地震発生時の外壁の様子からは、かけ離れたものとなってしまう。したがって、二階建ての住宅であっても、地震発生時の変位に外壁パネルが追従して動くか否かは、見学者に十分に伝えることができないといった不都合を生じていた。
【０００７】
また、実際の住宅で大地震に遭遇する回数としては、１回あるか無いかぐらいであるが、この耐震性能展示装置は、場合によっては１日に何度も動かさなければならない。この場合、実際の外壁パネルの動きを見せながら、反復動作に耐えられる構造にしなければならない。
【０００８】
さらに、上記従来の耐震性能展示装置は、同じように軸組の変形に追従して外壁パネルが動くようになされているが、カーテンウォール構造の場合と軸組構造の場合とでは、その違いを判りやすく説明することができない。
【０００９】
本発明は、係る実情に鑑みてなされたものであって、現実の住宅に近い二階建ての状態で外壁全体の耐震性能を総合的に把握でき、しかも反復動作に耐えられる優れた耐久性を有し、構造の良さを容易に理解してもらうことができる外壁パネルの耐震性能展示装置を提供することを目的としている。
【課題を解決するための手段】
【００１０】
上記課題を解決するための本発明の外壁パネルの耐震性能展示装置は、下梁材と、この下梁材の上方に設けられた中梁材と、この中梁材の上方に設けられた上梁材とが、それぞれの一端側に設けられた連結柱に回動可能に連結され、下梁材はフレームに固定され、上梁材はフレームに設けられたモータを介して、フレームに対して水平に往復動するようになされ、中梁材は、連結柱を介してこの上梁材の往復動に同調するようになされた装置本体と、下梁材と中梁材との間、中梁材と上梁材との間にそれぞれ設けられ、鋼材の端部に延設されたフランジ部同士をボルトナットで固定することによって変形可能なように矩形状に枠組みされるとともに、このボルトナットによって、下梁材、中梁材、上梁材からそれぞれ延設されたフランジとも連結されてなる軸組と、軸組の鋼材に金具本体を固定した状態で、金具本体に回動可能に軸着されてなる一対の係止爪が、軸組の片面側に位置するようになされた係止金具と、周縁に断面コ字状のレールが設けられ、このレールに係止金具の係止爪が係止することによって、軸組の片面に当接された状態で係止固定されるようになされた外壁パネルとを具備し、外壁パネルは、下梁材と中梁材との間、および中梁材と上梁材との間の軸組に設けられて二階層となされるとともに、少なくとも一階層部分の外壁パネルは、係止金具の係止爪が係止固定された部分に切欠部が設けられて、この切欠部からレールを軸組に係止固定している状態を把握できるようになされ、下梁材と中梁材と上梁材との変位によって変形する軸組に対して、回動する係止爪によって、二階層に設けた外壁パネルが破壊されずに追従して動くことを展示するようになされたものである。
【００１１】
また、上記課題を解決するための本発明の外壁パネルの耐震性能展示構造は、フレームに固定された下梁材と、この下梁材の上方に設けられ、フレームに設けられたモータを介して、フレームに対して水平に往復動するようになされた上梁材とからなる装置本体と、下梁材と上梁材との間にそれぞれ設けられ、鋼材の端部に延設されたフランジ部同士をボルトナットで固定することによって変形可能なように矩形状に枠組みされるとともに、このボルトナットによって、下梁材および上梁材からそれぞれ延設されたフランジとも連結されてなる軸組と、裏面にボルトナットを固定するための断面コ字状のレールが設けられ、軸組の片面に当接固定するようになされた外壁パネルと、外壁パネルのレールに固定したボルトナットを介して、軸組の鋼材に係止するようになされた係止金具とを具備し、上梁材の変位によって変形する軸組に対して、係止金具が回動し外壁パネルが破壊されずに追従して動くことを展示するようになされた第二展示装置が、上記展示装置と対向するように設けられ、双方の展示装置間には、それぞれの外壁パネルの動く様子を見学できるスペースが確保されるとともに、第二展示装置の背後には、上記展示装置の外壁パネルの動きを見ながら、第二展示装置の背面から外壁パネルの動きに対して、回動する係止金具の様子を見学できるスペースを確保して配置されてなるものである。
【発明の効果】
【００１２】
以上述べたように、本発明によれば、住宅建物における外壁パネルの耐震性能の良さを、実際の住宅に近い二階層の構造で見学することができるので、案内員は、わかり易く説明することができる。また、見学者は容易に理解することができる。
【００１３】
また、本発明の展示構造によると、双方の展示装置間のスペースで双方の外壁パネルの動きと、展示装置の係止金具の動きを見学することができ、第二展示装置の背後のスペースからは、展示装置の係止金具の動きと、第二展示装置の係止金具の動きとを見学することができる。したがって、案内員は、両方のスペースで展示装置と第二展示装置の動きを見学してもらうことで、双方の耐震性能の違いや取付構造の違いをわかり易く説明することができる。また、見学者は容易に理解することができる。
【発明を実施するための最良の形態】
【００１４】
以下、本発明の実施の形態を図面を参照して説明する。
【００１５】
図１は、耐震性能展示構造１の全体構成の概略を示し、図２は同耐震性能展示構造１を構成する軸組構造の展示装置１ａを示し、図３は同耐震性能展示装置を構成するカーテンウォール構造の展示装置１ｂを示している。
【００１６】
すなわち、この耐震性能展示構造１は、軸組構造の展示装置１ａとカーテンウォール構造の展示装置１ｂとを対向して設けている。
【００１７】
軸組構造の展示装置１ａは、図１および図２に示すように、装置本体２ａと、この装置本体２ａの下梁材２１と中梁材２２との間、中梁材２２と上梁材２３との間にそれぞれ固定される軸組３と、この軸組３に係止金具４ａを介して係止固定される外壁パネル５ａとを具備し、下梁材２１と中梁材２２と上梁材２３との変位によって変形する軸組３に対して、二階層に設けた外壁パネル５ａが破壊されずに追従して動くことを展示するようになされたものである。
【００１８】
装置本体２ａは、固定された下梁材２１に対して中梁材２２および上梁材２３が長手方向に沿って往復動するようになされている。この下梁材２１は、箱状に組まれたフレーム２０の下端部に横たわるように固定されている。また、フレーム２０の上端部付近には、下梁材２１と対向するように上梁材２２が設けられ、フレーム２０の中間付近には、下梁材２１と上梁材２３との間に位置するように中梁材２２が設けられる。中梁材２２および上梁材２３は、図４および図５に示すように、その両側面に固定されたプレート２４にガイド部材２４１が設けられており、このガイド部材２４１が、これら中梁材２２および上梁材２３と平行するフレーム２０の側面に設けられたレール２５に対して滑動可能に連結されている。これによって中梁材２２および上梁材２３は、フレーム２０に対して水平方向に往復動可能となされている。
【００１９】
このうち、上梁材２３は、フレーム２０に固定されたモータ２６を介してリンク２６１が接続されており、このモータ２６の回転によってリンク２６１を介して水平方向に往復動するようになされている。また、下梁材２１と中梁材２２と上梁材２３とは、それぞれの一端側に設けられた連結柱２７に回動可能に連結されている。このうち、中梁材２２は、上梁材２３と同様に水平方向に往復動可能となされているので、モータ２６の回転による上梁材２３の往復動に連結柱２７を介して連動して往復動するようになされている。また、この往復動によって、中梁材２２および上梁材２３がフレーム２０の基準位置からどれだけ変位したかが判るように、中梁材２２の前方に設けられたフレーム２０の部分には、矢印２８が設けられている。
【００２０】
軸組３は、リップ溝形鋼からなる鋼材３１を矩形に枠組みして構成されている。通常このような軸組３の鋼材３１の端部間は溶接固定されるが、この軸組３は、耐震性能を展示するために何度も変形が加えられる軸組３であるため、経時的繰り返しで軸組３自体が壊れてしまうことが懸念される。したがって、図４および図５に示すように、軸組３は、鋼材３１の端部同士をボルトナット３２で固定することによって枠組みされ、何度変形を加えても破壊されないように考慮されている。すなわち、角部に位置する鋼材３１の端部と、角部に位置しない鋼材３１から角部へと延設されたフランジ３３とをボルトナット３２で固定することで、このボルトナット３２を回動中心として変形できるようになされている。
【００２１】
この軸組３は、上記装置本体２ａの下梁材２１と中梁材２２との間、および中梁材２２と上梁材２３との間に、それぞれ横並びで３つ設けられる。そして、下梁材２１、中梁材２２、上梁材２３からそれぞれ延設されたフランジ部２９を、軸組３の鋼材３１の端部同士を固定するボルトナット３２と一緒に固定することによって、下梁材２１と中梁材２２との間、および中梁材２２と上梁材２３との間に、それぞれ軸組３が固定される。
【００２２】
係止金具４ａは、図６および図７に示すように、軸組３を構成する鋼材３１を抱き込むようになされたバネ鋼板４１ａが、ボルト状となされた金具本体４０ａに一体化されている。このボルト状となされた金具本体４０ａのボルト頭部分には、一対の係止爪４２ａが回動可能に軸着されている。
【００２３】
この係止金具４ａは、バネ鋼板４１ａを、鋼材３１に抱き込ませるように固定した状態で、金具本体４０ａに設けた一対の係止爪４２ａが、軸組３の片面側に位置するようになされている。そして、係止爪４２ａは、外壁パネル５ａの周縁に設けられたレール５１ａに係止させて締め込むことで、軸組３の片面に外壁パネル５ａを係止固定することができるようになされている。
【００２４】
外壁パネル５ａは、周縁に断面コ字状のレール５１ａが設けられている。この外壁パネル５ａは、軸組３のそれぞれに、上記係止金具４ａによって一枚ずつ係止固定される。この固定状態で、隣接する一階部分の外壁パネル５ａの境界部分は、図１に示すように、係止金具４ａによって係止固定された部分に切欠部５０ａが設けられている。この切欠部５０ａからは、係止金具４ａの係止爪４２ａが、外壁パネル５ａのレール５１ａを軸組３に係止固定している状態を把握できるようになされている。また、隣接する一階部分および二階部分の外壁パネル５ａの境界部分には、同じ位置に矢印５２ａが設けられている。そして、軸組３の変形によって、隣接する外壁パネル５ａがどれだけ動いたかは、この矢印５２ａのずれ具合をみることによって容易に判るようになされている。
【００２５】
このようにして構成される展示装置１ａは、装置本体２ａのモータ２６を作動させることで、中梁材２２および上梁材２３が下梁材２１に対して変位し、この変位によって一階層および二階層のそれぞれの軸組３が変形する。
【００２６】
そして、この変形に追従して外壁パネル５ａが破壊されずに動くこととなる。この時、中梁材２２および上梁材２３にどれだけの変位を加えたかは、装置本体２ａの矢印２８のずれをみることによって把握することができる。また、この変位によって外壁パネル５ａがどれだけ動いたかということは、外壁パネル５ａに設けた矢印５２ａを見ることによって把握することができる。
【００２７】
この展示装置１ａによると、実際の住宅に近い二階層の状態で軸組３を変形させ、それに追従する外壁パネル５ａの動きを確認することができるので、構造の確かさを容易に認識してもらうことができるとともに、実際の動きでその性能の良さを印象づけることができる。
【００２８】
展示装置１ｂは、上記展示装置１ａの二階層だった装置本体２ａを一階層の装置本体２ｂとし、軸組構造の係止金具４ａおよび外壁パネル５ａを、カーテンウォール構造の係止金具４ｂおよび外壁パネル５ｂとした以外は、上記展示装置１ａと同様である。上記展示装置１ａと同部材には同符号を付して説明を省略する。
【００２９】
外壁パネル５ｂは、押出成形によって、押出方向に沿って並行する複数の中空孔が形成された中空外壁パネルが用いられている。この外壁パネル５ｂは、図８に示すように、裏面に、レール５１ｂが設けられており、このレール５１ｂに係止金具４ｂがボルトナット４１ｂで固定される。この係止金具４ｂを固定するボルトナット４１ｂは、外壁パネル５ｂのレール５１ｂにスライド挿入し、所望の位置で螺合させることができるようになされている。これにより、係止金具４ｂは、外壁パネル５ｂに強固に固定することができる。      
【００３０】
この係止金具４ｂは、板片の一端に、軸組３の鋼材３１に係止される係止爪４０ｂが形成されている。したがって、外壁パネル５ｂは、係止金具４ｂの係止爪４０ｂを、軸組３の鋼材３１に係止させた状態にして、この係止金具４ｂを固定することで、軸組３に当接した状態で係止固定される。
【００３１】
このようにして構成される展示装置１ｂは、装置本体２ｂのモータ２６を作動させることで、上梁材２３が下梁材２１に対して変位し、この変位によって軸組３が変形する。
【００３２】
そして、この変形に追従して外壁パネル５ｂが破壊されずに動くこととなる。この時、上梁材２３にどれだけの変位を加えたかは、装置本体２ｂの矢印２８のずれをみることによって把握することができる。また、この変位によって外壁パネル５ｂがどれだけ動いたかということは、外壁パネル５ｂに設けた矢印５２ｂを見ることによって把握することができる。
【００３３】
この展示装置１ｂによると、実際に軸組３を変形させ、それに追従する外壁パネル５ｂの動きを確認することができるので、構造の確かさを容易に認識してもらうことができるとともに、実際の動きでその性能の良さを印象づけることができる。
【００３４】
上記展示装置１ａと展示装置１ｂとは、図１に示すように、外壁パネル５ａと５ｂとが対向するようにして設けられる。
【００３５】
見学に訪れた見学者は、これら展示装置１ａと展示装置１ｂとの間の位置Ａで左右双方の外壁パネル５ａと外壁パネル５ｂとが、それぞれ軸組３の変形に追従して破壊されずに動く様子を見学することができる。
【００３６】
特に、展示装置１ａは、実際の住宅に近い二階層で外壁パネル５ａが動く様子を見学することができ、しかも外壁パネル５ａに設けられた切欠部５０ａから、係止金具４ａの様子も見学することができるので、外壁の構造全体を容易に理解することができる。
【００３７】
この位置Ａにおいて、外壁パネル５ａと外壁パネル５ｂとは、双方ともに同じように動いて見えるが、実際のところ、構造が異なる。すなわち、展示装置１ａは、軸組３に係止金具４ａを固定しており、この係止金具４ａが外壁パネル５ａに係止している。一方、展示装置１ｂは、外壁パネル５ｂに係止金具４ｂを固定しており、この係止金具４ｂが軸組３に係止している。展示装置１ａは、軸組３に係止金具４ａを固定しているので、外壁パネル５ａの一部に切欠部５０ａに形成すれば、係止金具４ａの様子を理解することはできるが、展示装置１ｂの場合は、外壁パネル５ｂに係止金具４ｂを固定しているので、外壁パネル５ｂに切欠部を設けることもできず、展示装置１ｂの正面からは、その構造を理解することはできない。
【００３８】
そこで、展示装置１ａからは正面になるが、展示装置１ｂの背面となる位置Ｂへと移動してもらう。この位置Ｂにおいて、展示装置１ａは、位置Ａの場合と同様に、外壁パネル５ａに設けられた切欠部５０ａから、係止金具４ａの係止爪４２ａが、外壁パネル５ａのレール５１ａを軸組３に係止固定している様子を見ることができる。また、展示装置１ｂは、外壁パネル５ｂに係止金具４ｂを固定しているので、展示装置１ｂの背面から見学することで、係止金具４ｂの係止爪４２ｂが軸組３の鋼材３１に係止している様子を見ることができる。
【００３９】
したがって、この位置Ｂにおいて、案内員は、展示装置１ａと展示装置１ｂとに設けられたそれぞれの外壁パネル５ａ、５ｂの取付構造の違いを、実際の動きを見て対比しながら説明することができる。また、見学者は、外壁パネル５ａ、５ｂの取付構造の違いを、実際の動きを見て対比しながら理解することができる。
【００４０】
このように、同じように動いて見えるが構造の異なる展示装置１ａと展示装置１ｂとの違いを、この位置Ｂから見学することで、構造的な違いについても容易に理解することができるので、外壁に対する耐震の知識や認識が十分に無い人に対し、より興味を持って理解してもらうことができる。
【００４１】
なお、本実施の形態において、展示装置１ｂは、軸組３の縦方向の鋼材３１に係止金具４ｂを係止させるようになされているが、特開２００２−２２１９０７号公報に開示したものと同様に下梁２１および上梁２３に設けた水平方向の係止レール（図示省略）に係止金具４ｂを係止させるようにしたタイプの展示装置１ｂであってもよい。
【産業上の利用可能性】
【００４２】
住宅建物の販売促進を図る装置として利用できる。
【図面の簡単な説明】
【００４３】
【図１】本発明に係る外壁パネルの耐震性能展示装置を用いた展示構造を示す平面図である。
【図２】本発明に係る外壁パネルの耐震性能展示装置の全体構成の概略を示す正面図である。
【図３】本発明に係る外壁パネルの耐震性能展示装置と対向して設けられる第二展示装置の全体構成の概略を示す正面図である。
【図４】図２のＩ−Ｉ線断面図である。
【図５】図２のＩＩ−ＩＩ線断面図である。
【図６】本発明に係る外壁パネルの耐震性能展示装置における外壁パネルの取付状態を示す断面図である。
【図７】（ａ）および（ｂ）は、本発明に係る外壁パネルの耐震性能展示装置における外壁パネルの動きを示す正面図である。
【図８】図３に示す展示装置の部分背面図である。
【符号の説明】
【００４４】
１  外壁パネルの耐震性能展示構造
１ａ  外壁パネルの耐震性能展示装置
１ｂ  展示装置（第二展示装置）
２ａ  装置本体
２ｂ  装置本体
２０  フレーム
２１  下梁
２２  中梁
２３  上梁
２６  モータ
２７  連結柱
２９  フランジ
３  軸組
３１  鋼材
３２  ボルトナット
４ａ  係止金具
４ｂ  係止金具
４０ａ  金具本体
４１ｂ  ボルトナット
４２ａ  係止爪
５ａ  外壁パネル
５ｂ  外壁パネル
５０ａ  切欠部
５１ａ  レール
５１ｂ  レール
Ａ  位置（スペース）
Ｂ  位置（スペース）
【図１】
2008107630.tif 000003
【図２】
2008107630.tif 000004
【図３】
2008107630.tif 000005
【図４】
2008107630.tif 000006
【図５】
2008107630.tif 000007
【図６】
2008107630.tif 000008
【図７】
2008107630.tif 000009
【図８】
2008107630.tif 000010